(57)【要約】  真空掃除機を提供する。一側面に係る真空掃除機は、吸込力を発生させるための吸込モーターを具備する掃除機本体と、前記掃除機本体と連通して空気とゴミを吸い込む吸込ホースと、を含み、前記掃除機本体は、本体部と、該本体部に設けられ、前記吸込ホースから吸い込まれたゴミが流入する吸込口、及びゴミが捕集される保管空間が設けられた集塵箱と、一側が前記吸込ホースに連結されるコネクタが設けられ、前記集塵箱の少なくとも一部を選択的に遮蔽するカバー部材と、を含み、前記カバー部材が前記集塵箱の一側を遮蔽すると、前記コネクタは前記吸込口における空気流入方向と並んで整列される。【選択図】  図１
2019504715.tif 000002
【特許請求の範囲】
【請求項１】
真空掃除機であって、
吸込力を発生させるための吸込モーターを具備する掃除機本体と、
前記掃除機本体と連通してゴミが含まれた空気を吸い込む吸込ホースと、を備えてなり、
前記掃除機本体は、
本体部と、
前記本体部に設けられ、前記吸込ホースから吸い込まれた空気が流入する吸込口、及びゴミが捕集される保管空間が設けられる集塵箱と、
一側が前記吸込ホースに連結されるコネクタが設けられ、前記集塵箱の少なくとも一部を選択的に遮蔽するカバー部材と、を備え、
前記カバー部材が前記集塵箱の一側を遮蔽すると、前記コネクタは前記吸込口における空気流入方向と並んで整列されてなる、真空掃除機。
【請求項２】
前記コネクタは、前記吸込ホースから空気が流入する入口部、及び空気が排出される出口部を備えてなり、
前記カバー部材が前記集塵箱を遮蔽すると、前記コネクタの出口部は前記吸込口と接触する、請求項１に記載の真空掃除機。
【請求項３】
前記コネクタの出口部と前記吸込口との間には気密性を維持するためのシーリング部材が設けられる、請求項２に記載の真空掃除機。
【請求項４】
前記コネクタは、前記吸込ホースから流入する空気の流入方向と並んで整列される、請求項１に記載の真空掃除機。
【請求項５】
前記吸込ホースには前記コネクタと気密性を維持するためのフィッティング部が設けられ、前記フィッティング部の少なくとも一部分は前記コネクタに挿入される、請求項１に記載の真空掃除機。
【請求項６】
前記コネクタの内部には、前記フィッティング部の一部分と接触して前記フィッティング部の挿入範囲を制限する段差部が設けられる、請求項５に記載の真空掃除機。
【請求項７】
前記カバー部材が前記集塵箱の一側を遮蔽すると、前記集塵箱の側面部は外部に露出され、
ユーザが前記保管空間に捕集されたゴミを確認可能に、前記集塵箱の側面部は少なくとも一部分が透明材質からなる、請求項１に記載の真空掃除機。
【請求項８】
前記カバー部材を前記本体部に回転可能に連結する連結部材を更に備えてなる、請求項１に記載の真空掃除機。
【請求項９】
前記カバー部材にはユーザが把持するためのグリップ部が設けられる、請求項１に記載の真空掃除機。
【請求項１０】
前記本体部には前記集塵箱が着座する着座部が設けられる、請求項１に記載の真空掃除機。
【請求項１１】
真空掃除機であって、
吸込力を発生させるための吸込モーターを具備する掃除機本体と、
前記掃除機本体と連通して、ゴミが含まれた空気を吸い込む吸込ホースと、を備えてなり、
前記掃除機本体は、
前記吸込ホースに連結される吸込口、及び該吸込口から流入したゴミが保管される保管空間が設けられる集塵箱と、
前記集塵箱に結合されるカバー部材と、を備えてなり、
前記カバー部材には前記吸込ホースと前記集塵箱とを連結するコネクタが設けられ、前記コネクタから前記吸込口に流入した空気は下方にガイドされて前記保管空間に移動する、真空掃除機。
【請求項１２】
真空掃除機であって、
吸込力を発生させるための吸込モーターを具備する掃除機本体と、
前記掃除機本体と連通して、ゴミが含まれた空気を吸い込む吸込ホースと、を備えてなり、
前記掃除機本体は、
空気が流入する吸込口が設けられる集塵箱と、
前記集塵箱に結合されるカバー部材と、を備え、
前記カバー部材には、一側が前記吸込ホースに連結され、他側が前記吸込口に連結されるコネクタが設けられ、前記吸込口は前記集塵箱の上面部に設けられる、真空掃除機。
【請求項１３】
真空掃除機であって、
吸込力を発生させる吸込モーターが設けられる掃除機本体と、
前記掃除機本体と連通して、ゴミが含まれた空気を吸い込む吸込ホースと、
前記掃除機本体の前面に着座し、前面の一部が外部に露出される集塵箱と、
前記掃除機本体に回動可能に装着され、前記集塵箱を上方から遮蔽するカバー部材と、
前記カバー部材によって遮蔽されるように前記集塵箱に開口され、前記吸込ホースから吸い込まれるゴミを含んだ空気が前記集塵箱の内部に流入する通路を形成する吸込口と、
前記吸込口と同一延長線上で前記カバー部材に開口されるように形成されて前記吸込ホースが連結され、前記吸込口まで延長される通路を形成するコネクタと、を備えてなる、真空掃除機。
【請求項１４】
前記コネクタの開口された一端には第１シーリング部が形成され、
前記第１シーリング部と向かい合う前記吸込口の開口された一端には、前記第１シーリング部と対応する形状に形成される第２シーリング部が設けられ、
前記第１シーリング部と第２シーリング部は、前記カバー部材が閉じる時に互いに結合して前記コネクタと吸込口との間を気密させる、請求項１３に記載の真空掃除機。
【請求項１５】
前記コネクタの開口された端部には傾斜して形成される第１シーリング部が設けられ、
前記第１シーリング部と向かい合う前記吸込口の開口された端部には、前記第１シーリング部と同一の角度で傾斜して形成される第２シーリング部が設けられ、
前記カバー部材が閉じると、前記第１シーリング部と第２シーリング部とが互いに密着する、請求項１３に記載の真空掃除機。
【請求項１６】
前記第１シーリング部と第２シーリング部は、前記吸込ホースが連結される前方に行くほど下端がさらに突出する勾配を有するように形成される、請求項１５に記載の真空掃除機。
【請求項１７】
前記第１シーリング部と第２シーリング部は弾性素材で形成され、前記コネクタと吸込口にそれぞれ装着される、請求項１５に記載の真空掃除機。
【請求項１８】
前記コネクタと、前記コネクタに連結される吸込ホースの端部と、前記吸込口とが同一延長線上に整列される、請求項１３に記載の真空掃除機。
【請求項１９】
前記カバー部材は閉じた状態で前記集塵箱の上部を収容して前記集塵箱を拘束する、請求項１３に記載の真空掃除機。
【請求項２０】
前記掃除機本体には、前記集塵箱の下面を下方から支持するように前方に延長される着座部が形成され、前記集塵箱は、前記着座部とカバー部材によって下端と上端が拘束され、前記着座部とカバー部材との間から外部に露出される、請求項１３に記載の真空掃除機。
【発明の詳細な説明】
【技術分野】
【０００１】
本発明は、真空掃除機に関する。
【背景技術】
【０００２】
一般に、真空掃除機は、本体内部に設けられる吸込モーターを用いて、被掃除面に存在するゴミ及び異物などを吸い込んだ後、前記本体内部でゴミ及び異物などをフィルタリングする装置である。
【０００３】
上記のような真空掃除機は、吸込ノズルが本体に連結されて本体と共に移動するアップライト（ｕｐ−ｒｉｇｈｔ）タイプの真空掃除機と、吸込ノズルが延長管、ハンドル、ホースなどによって本体に連結されるキャニスタ（ｃａｎｉｓｔｅｒ）タイプの真空掃除機とに区別することができる。
【０００４】
先行文献の大韓民国公開特許公報第１０−２０１２−０００４１００号（公開日：２０１２年０１月１２日）には、キャニスタタイプの真空掃除機に関する内容が開示されている。
【０００５】
前記先行文献に開示された従来の真空掃除機は、本体に設けられて吸込力を発生させる吸込モーター、前記吸込モーターの吸込力によって吸い込まれたゴミと空気を分離するゴミ分離装置、及び前記ゴミ分離装置で分離されたゴミが捕集される集塵容器を含む。
【０００６】
ゴミが含まれた空気は、前記吸込モーターの吸込力によって、吸込ノズル及び連結部を経て、前記本体に設けられた流入管に流入する。前記空気は流入管を通って前記ゴミ分離装置の内部に吸い込まれる。前記ゴミ分離装置に吸い込まれた空気は、前記ゴミ分離装置の内部を流動する過程でゴミが分離される。前記ゴミ分離装置で分離されたゴミはゴミ排出部を通って前記集塵容器に捕集される。
【０００７】
一方、前記流入管は、前記本体内部で前記ゴミ分離装置及び集塵容器の下部から前記ゴミ分離装置の入口に向かって上側に延長される（先行文献の図３参照）。このような構造によって、従来の真空掃除機は、吸い込まれる空気が流入管を流動しながら摩擦によって流動損失が発生する。このため、ゴミ分離装置に流入する空気の流動量が減少することがあり、真空掃除機の吸込力が低下する問題があった。
【発明の概要】
【発明が解決しようとする課題】
【０００８】
本発明が解決しようとする課題は、掃除機本体の内部における空気流動損失を最小化することである。
【０００９】
本発明の他の課題は、掃除機本体にバッテリを容易に装着できる真空掃除機を提供することである。
【００１０】
本発明の他の課題は、掃除機本体を移動輪によって２点支持することである。
【００１１】
本発明の他の課題は、掃除機本体の走行安定性を向上させることである。
【００１２】
本発明の他の課題は、掃除機本体が後方に転倒することを防止することである。
【課題を解決するための手段】
【００１３】
掃除機本体の内部における空気の流動損失を最小化するために、一側面に係る真空掃除機は、掃除機本体及び吸込ホースを含み、前記掃除機本体は、本体部；前記本体部に設けられ、前記吸込ホースから吸い込まれたゴミが流入する吸込口、及びゴミが捕集される保管空間が設けられる集塵箱；及び、一側が前記吸込ホースに連結されるコネクタが設けられ、前記集塵箱の少なくとも一部を選択的に遮蔽するカバー部材；を含み、前記カバー部材が前記集塵箱の一側を遮蔽すると、前記コネクタは前記吸込口における空気流入方向と並んで整列される。
【００１４】
他の側面に係る真空掃除機は、掃除機本体及び吸込ホースを含み、前記掃除機本体は、前記吸込ホースに連結される吸込口、及び前記吸込口から流入したゴミが保管される保管空間が設けられる集塵箱；及び、前記集塵箱に結合されるカバー部材；を含み、前記カバー部材には、前記吸込ホースと前記集塵箱とを連結するコネクタが設けられ、前記コネクタから前記吸込口に流入した空気は下方にガイドされて前記保管空間に移動する。
【００１５】
他の側面に係る真空掃除機は、掃除機本体及び吸込ホースを含み、前記掃除機本体は、空気が流入する吸込口が設けられる集塵箱；及び、前記集塵箱に結合されるカバー部材；を含み、前記カバー部材には、一側が前記吸込ホースに連結され、他側が前記吸込口に連結されるコネクタが設けられ、前記吸込口は前記集塵箱の上面部に設けられる。
【００１６】
他の側面に係る真空掃除機は、吸込力を発生させる吸込モーターが設けられる掃除機本体；前記掃除機本体と連通してゴミが含まれた空気を吸い込む吸込ホース；前記掃除機本体の前面に着座し、前面一部が外部に露出される集塵箱；前記掃除機本体に回動可能に装着され、前記集塵箱を上方から遮蔽するカバー部材；前記カバー部材によって遮蔽されるように前記集塵箱に開口され、前記吸込ホースから吸い込まれるゴミを含んだ空気が前記集塵箱の内部に流入する通路を形成する吸込口；及び、前記吸込口と同一延長線上で前記カバー部材に開口されるように形成されて前記吸込ホースが連結され、前記吸込口まで延長される通路を形成するコネクタ；を含む。
【００１７】
前記コネクタの開口された一端には第１シーリング部が設けられ、前記第１シーリング部と向かい合う前記吸込口の開口された一端には、前記第１シーリング部と対応する形状に形成される第２シーリング部が設けられ、前記第１シーリング部と第２シーリング部は、前記カバー部材が閉じる時に互いに結合して前記コネクタと吸込口との間を気密させてもよい。
【００１８】
前記コネクタの開口された端部には傾斜して形成される第１シーリング部が設けられ、前記第１シーリング部と向かい合う前記吸込口の開口された端部には、前記第１シーリング部と同一の角度で傾斜して形成される第２シーリング部が設けられ、前記カバー部材が閉じると前記第１シーリング部と第２シーリング部とが互いに密着されてもよい。
【００１９】
前記第１シーリング部と第２シーリング部が、前記吸込ホースが連結される前方に行くほど下端がさらに突出する勾配を有するように形成されてもよい。
【００２０】
前記第１シーリング部と第２シーリング部が弾性素材で形成され、前記コネクタと吸込口にそれぞれ装着されてもよい。
【００２１】
前記コネクタと、前記コネクタに連結される吸込ホースの端部と、前記吸込口とが同一延長線上に整列されてもよい。
【００２２】
前記カバー部材は閉じた状態で前記集塵箱の上部を収容して前記集塵箱を拘束してもよい。
【００２３】
前記掃除機本体には前記集塵箱の下面を下方から支持するように前方に延長される着座部が形成され、前記集塵箱は前記着座部とカバー部材によって下端と上端が拘束され、前記着座部とカバー部材との間から外部に露出されてもよい。
【００２４】
他の側面に係る真空掃除機は、吸込モーターを具備する掃除機本体を含み、前記掃除機本体は、本体部；前記本体部を移動させるための移動輪；及び、前記本体部の後方に着脱可能に設けられ、前記本体部に電源を供給可能なバッテリ；を含み、前記本体部は前記移動輪の回転中心を基準に回転可能であり、前記掃除機本体から前記バッテリが分離されると、前記本体部の重心は、前記移動輪の回転中心を通る鉛直線を基準に前方に位置する。
【発明の効果】
【００２５】
本発明は、コネクタが集塵箱の吸込口における空気流入方向と並んで整列されるため、流動する空気に作用する抵抗が減少し、流動損失を最小化することができる。空気の流動損失の減少によって結果的に真空掃除機の吸込効率を向上させることができる。
【００２６】
また、カバー部材が集塵箱の一部だけを遮蔽することによって集塵箱が外部に晒されるので、ユーザにとって集塵箱に捕集されたゴミの量が確認しやすいという長所がある。
【００２７】
また、カバー部材に形成されたコネクタの一端を形成する第１シーリング部と、集塵箱に形成された吸込口の一端を形成する第２シーリング部は、相互に対応する傾斜面を有するように形成されるので、前記カバー部材の回動時に干渉しないながらも互いに密着して気密可能な構造を有することができる。
【００２８】
特に、前記第１シーリング部と第２シーリング部は弾性素材で形成されて互いに加圧固定され、前記カバー部材が閉じた状態では加圧密着するので、前記コネクタを通って前記吸込口に流入する空気が漏れないようにし、真空掃除機の吸込性能を向上させることができる。
【００２９】
また、コネクタと集塵箱の吸込口との間にシーリング部材が設けられるので、コネクタと集塵箱間の気密性を確保することができる。
【００３０】
また、吸込ホースの端部と集塵箱の吸込口との間の距離が比較的短く形成されるので、掃除機本体内部の空間確保に有利である。
【００３１】
また、吸込ホース、コネクタ及び吸込口が同一延長線上に整列されるので、前記吸込ホースから排出される空気が前記吸込口に流動する際に流動抵抗を最小化することができる。
【００３２】
また、吸込ホースの端部は前記コネクタの内側に挿入され、且つ前記吸込口に隣接した位置まで延長されるので、前記吸込ホースから排出される空気を効果的に前記吸込口に流入させるという利点がある。
【００３３】
本発明の真空掃除機は、本体部からバッテリが分離された状態では重心が前方に位置して前方に回転するので、掃除機本体にバッテリを容易に結合させることができる。
【００３４】
また、前記掃除機本体が一対の移動輪によって２点支持されるので、厚いカーペット、ふとんなどの障害物を容易に乗り越えて移動することができる。
【００３５】
また、バッテリの装着位置が掃除機本体の下側に位置するので、掃除機本体の重心が下方に移動して掃除機本体の走行安定性が向上し得る。
【００３６】
また、本体部の後方に支持部が設けられるので、本体部が後方に転倒することを防止することができる。
【図面の簡単な説明】
【００３７】
【図１】本発明の実施例に係る真空掃除機の斜視図である。
【図２】図１の掃除機本体と吸込装置とが分離された様子を示す図である。
【図３】図２の集塵箱が本体部から分離された様子を示す図である。
【図４】カバー部材が開いた時の掃除機本体の斜視図である。
【図５】図４の縦断面図である。
【図６】カバー部材が閉じた時の掃除機本体の斜視図である。
【図７】図６の縦断面図である。
【図８】掃除機本体に吸込装置が結合されている状態を示す斜視図である。
【図９】図８の縦断面図である。
【図１０】本発明の他の実施例に係る掃除機本体の本体部が前方に傾いた様子を示す図である。
【図１１】前記本体部が後方に傾いた様子を示す図である。
【図１２】本発明の他の実施例に係る支持部の構成を示す図である。
【図１３】前記掃除機本体にバッテリを結合する様子を順次に示す図である。
【図１４】前記掃除機本体からバッテリを分離する様子を順次に示す図である。
【発明を実施するための形態】
【００３８】
以下、本発明の一部の実施例を、例示的な図面を参照して詳しく説明する。各図面の構成要素に参照符号を付加するにおいて、同一の構成要素には、たとえ別の図面上に表示されていても、可能なかぎり同一の符号を付与していることに留意されたい。
【００３９】
また、本発明の実施例の構成要素を説明するにおいて、第１、第２、Ａ、Ｂ、（ａ）、（ｂ）などの用語を使用することができる。このような用語はその構成要素を別の構成要素と区別するためのものに過ぎず、それらの用語によって当該構成要素の本質、順番又は順序などが限定されるわけではない。ある構成要素が別の構成要素に”連結”、”結合”又は”接続”されると記載されている場合、ある構成要素は別の構成要素に直接”連結”、”結合”又は”接続”されてもよいが、それらの構成要素の間に介在の構成要素が”連結”、”結合”又は”接続”されてもよいと理解すべきであろう。
【００４０】
図１は、本発明の実施例に係る真空掃除機の斜視図である。
【００４１】
図１を参照すると、本発明の実施例に係る真空掃除機１は、掃除機本体１０及び吸込装置２０を含む。
【００４２】
前記掃除機本体１０は吸込力を発生させる吸込モーターを具備する。前記吸込モーターが駆動して吸込力が発生すると、前記吸込装置２０は前記掃除機本体１０に、ゴミが含まれた空気を案内することができる。
【００４３】
前記吸込装置２０は、掃除面、例えば床面のゴミを吸い込むための吸込部２１と、前記吸込部２１を前記掃除機本体１０に連結させるための連結部２２，２３，２４を含むことができる。前記連結部２２，２３，２４は、前記吸込部２１に連結される延長管２４、前記延長管２４に連結されるハンドル２２、及び前記ハンドル２２を前記本体１０に連結させる吸込ホース２３を含むことができる。
【００４４】
前記掃除機本体１０は全体的な外観を形成する本体部１１０を含む。
【００４５】
前記掃除機本体１０は、前記本体部１１０に回転可能に結合する移動輪１０２をさらに含むことができる。前記移動輪１０２は一対として提供され、前記本体部１１０の両側にそれぞれ結合され得る。
【００４６】
前記本体部１１０にはユーザが把持するためのグリップ部１０４が設けられ得る。ユーザは前記本体部１１０を持ち上げたり傾けようとする時に前記グリップ部１０４を把持することができる。
【００４７】
前記掃除機本体１０は電源を供給するためのバッテリ１０６をさらに含むことができる。
【００４８】
前記バッテリ１０６は、前記本体部１１０に分離可能に結合することができる。前記バッテリ１０６が前記本体部１１０に結合された場合、前記バッテリ１０６が前記本体部１１０と一体になり得る。これによって、前記バッテリ１０６は前記本体部１１０と共に運動する。
【００４９】
前記バッテリ１０６は前記真空掃除機１の駆動全般に必要な電源を供給することができる。前記バッテリ１０６は充電及び放電が可能な２次電池であってよい。前記バッテリ１０６には商用電源を供給するための電源コード（図示せず）が別に連結され得る。
【００５０】
前記掃除機本体１０は前記吸込装置２０から吸い込まれたゴミが保管される集塵箱１２０をさらに含む。前記集塵箱１２０は、図示のように円柱状でよいが、このような形状に制限されるものではない。
【００５１】
前記集塵箱１２０にはゴミが吸い込まれる吸込口１２４が設けられ得る。前記吸込口１２４は、図示のように前記集塵箱１２０の上面部に配置され得る。これによって、前記吸込口１２４に流入した空気は下方にガイドされて前記保管空間に移動する。
【００５２】
前記集塵箱１２０は前記本体部１１０に分離可能に装着され得る。前記集塵箱１２０の内部には前記吸込口１２４から流入したゴミが捕集される保管空間が形成され得る。
【００５３】
前記集塵箱１２０は前記本体部１１０の前方に設けられ、前記集塵箱１２０の側面部は、ユーザが前記保管空間に捕集されたゴミを確認できるように少なくとも一部分が透明な材質で形成され得る。
【００５４】
前記真空掃除機１は、前記吸込装置２０から吸い込まれた空気とゴミをそれぞれ分離させるゴミ分離部（図示せず）を含むことができる。前記ゴミ分離部は前記集塵箱１２０と別の物品として製造されてもよく、前記集塵箱１２０と一つのモジュールをなしてもよい。例えば、前記ゴミ分離部は前記集塵箱１２０の内部に設けられ、前記ゴミ分離部で分離されたゴミは前記集塵箱１２０の下方に捕集され得る。
【００５５】
図２は、図１の掃除機本体と吸込装置とが分離された様子を示す図であり、図３は、図２の集塵箱が本体部から分離された様子を示す図である。
【００５６】
図２及び図３を参照すると、前記掃除機本体１０は、前記吸込装置２０に連結されるコネクタ１３４を含むことができる。前記コネクタ１３４は前記吸込ホース２３に直接連結されて、ゴミが含まれた空気が流入し得る。すなわち、前記コネクタ１３４は、一側が前記吸込ホース２３に結合され、他側が前記吸込口１２４に結合される。これによって、前記コネクタ１３４は前記吸込ホース２３と前記吸込口１２４とを連結する。
【００５７】
前記コネクタ１３４は前記集塵箱１２０と連通し得る。これによって、前記吸込ホース２３に流入した空気は前記コネクタ１３４を経て前記集塵箱１２０に流入し得る。
【００５８】
前記集塵箱１２０の一側には、ゴミが流入する吸込口１２４が設けられ得る。前記吸込口１２４は、図示のように、前記集塵箱１２０の上部（又は、上面部）に設けられ得る。
【００５９】
また、前記吸込口１２４は前方に向かうように形成され得る。ここで、前方とは、前記掃除機本体１０を基準に前記吸込ホース２３が位置している部分を指す。
【００６０】
また、図示のように、前記コネクタ１３４は前記集塵箱１２０の上部に配置され得る。前記吸込口１２４と前記コネクタ１３４がいずれも前記集塵箱１２０の上部に配置されることにより、前記吸込ホース２３から流入する空気の流路長を最小化することができる。
【００６１】
前記吸込ホース２３には、前記コネクタ１３４との結合時に気密性を向上させるためのフィッティング部２３１，２３２，２３３が設けられ得る。
【００６２】
前記フィッティング部２３１，２３２，２３３は前記吸込ホース２３を前記コネクタ１３４に着脱させることができる。前記フィッティング部２３１，２３２，２３３は、図示のように多段をなすように形成され得る。
【００６３】
前記フィッティング部２３１，２３２，２３３は、第１フィッティング部２３１、第２フィッティング部２３２、第３フィッティング部２３３を含むことができる。前記第１フィッティング部２３１及び第２フィッティング部２３２は前記コネクタ１３４の内部に挿入される。したがって、前記第１フィッティング部２３１及び第２フィッティング部２３２を総称して挿入部といい、それぞれ、第１挿入部、第２挿入部と称することができる。前記第３フィッティング部２３３は前記コネクタ１３４の外側に設けられる。前記第３フィッティング部２３３は前記コネクタ１３４の端部と接触して前記挿入部の挿入深さを制限することができる。
【００６４】
前記掃除機本体１０は前記本体部１１０に動き可能に設けられるカバー部材１３０をさらに含む。
【００６５】
前記掃除機本体１０は、前記カバー部材１３０と前記本体部１１０とを連結する連結部材１３をさらに含むことができる。例えば、前記カバー部材１３０は前記連結部材１３によって前記本体部１１０に対して回転可能に連結され得る。
【００６６】
前記カバー部材１３０には前記コネクタ１３４が設けられ得る。これによって、前記コネクタ１３４は前記カバー部材１３０と共に移動することができる。
【００６７】
前記カバー部材１３０は前記集塵箱１２０の少なくとも一側を遮蔽することができる。前記カバー部材１３０は、前記集塵箱１２０の少なくとも一側を遮蔽すると同時に前記集塵箱１２０と結合し得る。前記カバー部材１３０が閉じると前記集塵箱１２０と結合し、前記カバー部材１３０が開くと前記集塵箱１２０から分離され得る。
【００６８】
例えば、前記カバー部材１３０は前記集塵箱１２０の上部に結合され得る。
【００６９】
前記集塵箱１２０は、図３に示すように、前記本体部１１０から分離することができる。
【００７０】
前記本体部１１０には前記集塵箱１２０が着座する着座部１０８が設けられ得る。前記着座部１０８は、図示のように、前記集塵箱１２０の下部に配置され得る。前記着座部１０８には、前記集塵箱１２０の底面部と結合するための結合部（図示せず）が形成され得る。
【００７１】
一方、前記集塵箱１２０の底面部を前記集塵箱１２０の一側と称し、前記集塵箱１２０の上面部を前記集塵箱１２０の他側と称することができる。前記カバー部材１３０は前記集塵箱１２０の上側で前記集塵箱１２０と結合するので、前記カバー部材１３０は前記着座部１０８と反対側に設けられたといえる。
【００７２】
以下では、前記カバー部材１３０が開いた状態の様子と閉じた状態の様子について具体的に説明する。
【００７３】
図４は、カバー部材が開いた時の掃除機本体の斜視図であり、図５は、図４の縦断面図であり、図６は、カバー部材が閉じた時の掃除機本体の斜視図であり、図７は、図６の縦断面図である。
【００７４】
図４〜図７を参照すると、前記カバー部材１３０を開放する時には、ユーザは前記グリップ部１０４を把持して前記カバー部材１３０を上側に持ち上げたり、後方に向かって回転させることができる。逆に、前記カバー部材１４０を閉じる時には、ユーザは前記カバー部材１３０を下側に下ろしたり、前方に回転させることができる。
【００７５】
前記カバー部材１３０が開いている場合、ユーザは前記集塵箱１２０を外部に引き出すことができる。この時、前記集塵箱１２０の吸込口１２４は外部に露出される。
【００７６】
前記カバー部材１３０が閉じている場合、前記集塵箱１２０の少なくとも一側は前記カバー部材１３０によって遮蔽される。前記集塵箱１２０の一側が前記カバー部材１３０によって遮蔽されると、前記吸込口１２４も前記カバー部材１３０によって遮蔽される。
【００７７】
ただし、前記カバー部材１３０が前記集塵箱１２０の側面部は遮蔽しないので、前記集塵箱１２０の側面部は外部に露出される。これによって、前記集塵箱１２０の側面部は少なくとも一部分が透明な材質で構成されるので、ユーザは前記集塵箱１２０内部の保管空間に捕集されたゴミの量を肉眼で確認することができる。
【００７８】
前記吸込口１２４が前記カバー部材１３０によって遮蔽されると、前記吸込口１２４は前記コネクタ１３４の出口部と接触する。これによって、前記コネクタ１３４は前記吸込口１２４と連通する。この時、前記コネクタ１３４は前記吸込口１２４における空気流入方向と並んで整列され得る。
【００７９】
前記コネクタ１３４の内側には第１空間部１３５が形成され、前記吸込口１２４の内側には第２空間部１２５が形成される。前記カバー部材１３０が閉じると、前記第１空間部１３５と前記第２空間部１２５が直接連結される。
【００８０】
一方、前記カバー部材１３０が閉じると、前記コネクタ１３４の後端と前記吸込口１２４の前端は互いに密着して気密状態になり得、前記コネクタ１３４を通過する空気が外部に漏れることく全て前記吸込口１２４から前記集塵箱１２０の内部に流入し得る。
【００８１】
以下、これについてさらに詳しく説明するが、説明の便宜のために、前記吸込ホース２３が連結される方向（図５で左側）を前方、そして前記集塵箱１２０と接する方向を後方（図５で右側）と定義する。
【００８２】
前記コネクタ１３４の開口された後端は前記カバー部材１３０の内側に延長され、前記カバー部材１３０が閉じた時に前記吸込口１２４の開口された前端に対応する位置まで延長され得る。
【００８３】
そして、前記コネクタ１３４の後端には第１シーリング部１３６が形成され、前記吸込口１２４の前端には第２シーリング部１２６が形成され得る。前記第１シーリング部１３６と第２シーリング部１２６は互いに向かい合う位置において対応する形状に形成され、前記カバー部材１３０が閉じる時に互いに密着して結合される形状に構成され得る。
【００８４】
より詳しくは、前記第１シーリング部１３６は傾斜して形成され、上方から下方に行くほど前方に向く傾斜を有するように形成され得る。そして、前記第２シーリング部１２６は、前記第１シーリング部１３６と同一の方向に傾斜するように形成され、同様に、上方から下方に行くほど前方に向く傾斜を有するように形成され得る。
【００８５】
一方、前記第１シーリング部１３６と第２シーリング部１２６の傾斜面の方向は、前記カバー部材１３０が開閉される回転方向に対応するように形成され得る。前記第１シーリング部１３６と第２シーリング部１２６の傾斜面の方向は、前記カバー部材１３０の回転半径の接線に対応するように形成され得る。
【００８６】
すなわち、前記カバー部材１３０の回転中心は前記カバー部材１３０の後端に位置し、前記カバー部材１３０の回動時に、前記カバー部材１３０の回転中心から離れた位置の前記第１シーリング部１３６と第２シーリング部１２６が自然に相互スライディングしながら密着するためには、前記第１シーリング部１３６及び第２シーリング部１２６の傾斜は、前記カバー部材１３０の回転半径の接線と同じ勾配を有するように形成され得る。
【００８７】
このような前記第１シーリング部１３６及び第２シーリング部１２６の傾斜構造によって、前記カバー部材１３０は、前記カバー部材１３０が閉じる回転操作時に、前記コネクタ１３４と前記吸込口１２４とが干渉しないながらも効果的に気密し得る。
【００８８】
前記コネクタ１３４の内部と吸込口１２４の内部はそれぞれ、第１空間部１３５と第２空間部１２５を形成することができ、このとき、前記第１空間部１３５の後端と第２空間部１２５の前端は互いに対応する大きさを有することができる。そして、前記第１シーリング部１３６と第２シーリング部１２６は同一の傾斜面を有することができ、したがって、前記カバー部材１３０が閉じた状態で前記第１空間部１３５と第２空間部１２５は完全に連通する構造を有することができる。
【００８９】
そして、前記第１シーリング部１３６及び第２シーリング部１２６は、前記コネクタ１３４及び前記吸込口１２４の成形時に共に形成され得る。すなわち、前記第１シーリング部１３６及び第２シーリング部１２６はそれぞれプラスチック素材で形成され、前記コネクタ１３４及び吸込口１２４と一体に成形され得るだろう。
【００９０】
必要によって前記第１シーリング部１３６及び第２シーリング部１２６には気密のためのシーリング部材が装着されてもよい。前記シーリング部材は前記第１シーリング部１３６及び第２シーリング部１２６の開口された端部の周りに形成され、前記第１シーリング部１３６と第２シーリング部１２６の少なくとも一方に装着され得る。前記シーリング部材は、ゴム、シリコン、スポンジなどのように弾性を有する素材で形成され得る。したがって、前記カバー部材１３０が閉じる時、前記シーリング部材の圧縮によって前記第１シーリング部１３６と第２シーリング部１２６との間を完全に気密させることができる。また、前記カバー部材１３０が閉じたり開いたりする時に弾性を提供して、前記カバー部材１３０が閉じる時の衝撃を緩和し、前記カバー部材１３０が開く際に初期回転をより容易にさせることができる。
【００９１】
勿論、前記第１シーリング部１３６及び第２シーリング部１２６は必要によって、弾性を有する別の素材で形成されてもよい。すなわち、前記第１シーリング部１３６及び第２シーリング部１２６は、ゴム、シリコン、スポンジなどのように弾性を有する素材で別個に成形された後、前記コネクタ１３４の後端及び前記吸込口１２４の前端に固定装着されてもよい。
【００９２】
この時、前記第１シーリング部１３６及び第２シーリング部１２６は傾斜するように装着されたり、お互いに接する面が傾斜するように形成され得る。弾性を有する前記第１シーリング部１３６及び第２シーリング部１２６は、前記カバー部材１３０が閉じる状態で互いに圧縮され得るように所定の厚さで形成され得るだろう。弾性素材で形成される前記第１シーリング部１３６及び第２シーリング部１２６によって前記第１シーリング部１３６と第２シーリング部１２６とが完全に気密し、前記カバー部材１３０の開閉時に衝撃を緩和しかつ開放を容易にさせることができる。
【００９３】
そして、前記第１シーリング部１３６及び第２シーリング部１２６が弾性素材で形成される場合、前記カバー部材１３０が閉じる時に前記第１シーリング部１３６と第２シーリング部１２６とが互いに加圧しながら密着する。したがって、前記カバー部材１３０が閉じた状態では前記第１シーリング部１３６と第２シーリング部１２６とが互いに圧縮された状態で密着し、前記コネクタ１３４と吸込口１２４間の気密性能をさらに向上させることができる。
【００９４】
以下では、前記コネクタ１３４に吸込ホース２３が装着された場合について説明する。
【００９５】
図８は、掃除機本体に吸込装置が結合されている状態を示す斜視図であり、図９は、図８の縦断面図である。
【００９６】
図８及び図９を参照すると、前記吸込ホース２３は前記コネクタ１３４に連結される。前記コネクタ１３４において前記吸込ホース２３が連結される前端（図９で左側）を入口部と定義でき、空気が排出される後端（図９で右側）を出口部と定義することができる。前記コネクタ１３４の出口部は前記吸込口１２４と向かい合い、互いに接触し得る。
【００９７】
このとき、前記コネクタ１３４の出口部は前記吸込口１２４と連通し、前記コネクタ１３４の第１シーリング部１３６と前記吸込口１２４の第２シーリング部１２６は互いに密着して、前記コネクタ１３４と前記吸込口１２４とが完全に連通した状態となるようにし得る。
【００９８】
詳しくは、前記吸込ホース２３から排出される空気は、前記第１空間部１３５と第２空間部１２５を順次に経て前記集塵箱１２０の内部に流入し得る。前記第１空間部１３５、前記第２空間部１２５から前記集塵箱１２につながる流路を吸込流路Ｆと定義することができる。
【００９９】
図示のように、前記吸込流路Ｆは、前記コネクタ１３４から前記吸込口１２４に流入した後、下方にガイドされて前記保管空間に移動する。
【０１００】
前記吸込流路Ｆは、前記第１空間部１３５に定義される第１流路と、前記第２空間部１２５に定義される第２流路とに区分できる。
【０１０１】
前記コネクタ１３４と前記吸込口１２４とが連結されると、前記第１空間部１３５と前記第２空間部１２５とが連結され、これによって、前記第１流路と前記第２流路とが連結された一つの流路を形成する。
【０１０２】
このような状態では前記第１シーリング部１３６と第２シーリング部１２６の密着によって前記流路が一直線に連結された状態となり、前記吸込ホース２３も前記コネクタ１３４に一直線上に装着されるので、結果的に、前記吸込ホース２３から流入する空気は前記集塵箱２０に向かって最短距離で一直線状に流動し得る。
【０１０３】
上述したように、前記フィッティング部２３１，２３２，２３３によって、前記吸込ホース２３と前記コネクタ１３４間の気密性が維持され得る。
【０１０４】
前記第１フィッティング部２３１、前記第２フィッティング部２３２、前記第３フィッティング部２３３の順に直径が大きくなるように形成され得る。これによって、前記第１フィッティング部２３１と前記第２フィッティング部２３２の間に段差が付き、前記第２フィッティング部２３２と前記第３フィッティング部２３３の間にも段差が付く。
【０１０５】
前記第１フィッティング部２３１及び前記第２フィッティング部２３２は前記第１空間部１３５の内部に挿入される。
【０１０６】
前記コネクタ１３４には段差部１３４ａ，１３４ｂが設けられ得る。前記フィッティング部２３１，２３２，２３３の少なくとも一部は前記段差部１３４ａ，１３４ｂに引っかかって挿入範囲が制限され得る。また、前記段差部１３４ａ，１３４ｂが前記フィッティング部２３１，２３２，２３３に面接触することにより、前記フィッティング部２３１，２３２，２３３と前記第１空間部１３５との間に気密性が向上し得る。
【０１０７】
前記段差部１３４ａ，１３４ｂは、第１段差部１３４ａと第２段差部１３４ｂを含むことができる。
【０１０８】
前記第１段差部１３４ａは前記第１空間部１３５の内部に設けられ得る。前記第２フィッティング部２３２の端部は前記第１段差部１３４ａと接触し得る。
【０１０９】
前記第２段差部１３４ｂは前記コネクタ１３４の外側に設けられ得る。前記第３フィッティング部２３３の端部は前記第２段差部１３４ｂと接触し得る。
【０１１０】
前記吸込ホース２３は前記第１空間部１３５における空気流動方向と一列に整列され得る。これによって、前記吸込ホース２３から排出されて前記第１空間部１３５に流動する空気に作用する抵抗が減少する。
【０１１１】
このように、本発明の真空掃除機１は、前記吸込ホース２３、前記コネクタ１３４及び前記吸込口１２４が一列に配置されるので、前記吸込ホース２３から排出される空気に作用する抵抗が最小化する。そして、前記吸込ホース２３の段差部１３４ａは、前記コネクタ１３４の内部に挿入された状態で前記吸込口１２４に隣接した位置まで延長され得る。したがって、前記吸込ホース２３は前記コネクタ１３４の内部で前記吸込口１２４と整列された状態になり得る。したがって前記吸込ホース２３から排出される空気は前記吸込口１２４に向かって直接流動し得る。
【０１１２】
また、前記コネクタ１３４と吸込口１２４に形成された前記第１シーリング部１３６と第２シーリング部１２６が傾斜した状態で互いに密着し得るので、効果的に気密状態を維持し、空気の漏れを防止することができる。
【０１１３】
これによって、前記掃除機本体１０内部における空気流動損失を最小化することができ、結果的に前記真空掃除機１の吸込効率が向上し得る。
【０１１４】
本発明は、前述した実施例の他にも様々な実施例が可能であろう。
【０１１５】
本発明の他の実施例の構成は、一部の構成以外には前述した実施例と同一であり、同一の構成には同一の名称を使用し、その詳細な説明は省略するものとする。
【０１１６】
図１０は、本発明の他の実施例に係る掃除機本体の本体部が前方に傾いた様子を示す図である。そして、図１１は、前記本体部が後方に傾いた様子を示す図である。そして、図１２は、本発明の他の実施例に係る支持部の構成を示す図である。
【０１１７】
図１０〜図１２を参照すると、前記掃除機本体１０００は、本体部１１１０、移動輪１１２０及びバッテリ１１３０を含む。
【０１１８】
前記本体部１１１０には前記吸込装置１１６０から吸い込まれたゴミが保管される集塵箱１１０５が設けられ得る。一対の前記移動輪１１２０は、前記本体部１１１０の両側にそれぞれ結合され得る。前記バッテリ１１３０は、前記本体部１１１０に分離可能に結合され得る。
【０１１９】
前記掃除機本体１０００において、前記移動輪１１２０の回転中心を通る鉛直線Ｖを基準に、前記コネクタ１１０３が配置された部分を前方と定義し、前記バッテリ１１３０が配置された部分を後方と定義することができる。また、前記本体部１１１０が前方に回転する場合とは、図面上で前記本体部１１１０が反時計回り方向に回転する場合（図１０参照）を意味し、前記本体部１１１０が後方に回転する場合とは、前記本体部１１１０が時計回り方向に回転する場合（図１１参照）を意味する。
【０１２０】
前記掃除機本体１０００は前記移動輪１１２０を駆動するための駆動部をさらに含むことができる。そして、前記掃除機本体１０００は、前記掃除機本体１０００の動きを感知する感知部の感知情報に応じて前記制御部によって前記移動輪１１２０の駆動を制御することができる。
【０１２１】
前記感知部がオフ（ＯＦＦ）状態の場合、前記移動輪１１２０が駆動しなくてもよい。この場合には、前記本体部１１１０は重心の位置によって傾くようになる。例えば、前記本体部１１１０の重心が、前記移動輪１１２０の回転中心を通る鉛直線Ｖの前方に位置すると、前記本体部１１１０は、図１０のように前方に傾き、前記本体部１１１０の重心が鉛直線Ｖの後方に位置すると、前記本体部１１１０は、図１１のように後方に傾く。
【０１２２】
前記感知部がオン（ＯＮ）になると、前記制御部は、前記本体部１１１０の重心が前記移動輪１１２０の回転中心を通る鉛直線Ｖ上に位置するように前記移動輪１１２０の駆動を制御することができる。この場合、図１１のように、前記本体部１１１０の底面Ｂが床面Ｇから離隔され得る。
【０１２３】
前記掃除機本体１０００はリアホイールユニット１１４０をさらに含むことができる。前記リアホイールユニット１１４０は、前記本体部１１１０の底面の後方に配置され、前記本体部１１１０が後方に傾く角度を制限する機能を有し得る。
【０１２４】
前記リアホイールユニット１１４０は延長部１１４４をさらに含むことができる。前記延長部１１４４の一側には補助輪１１４２が回転可能に連結され得る。前記延長部１１４４の他側は、前記回転軸１１４６を介して前記本体部１１１０に回転可能に連結され得る。そして、前記延長部１１４４はａ−ａ｀の範囲内で上方又は下方に回転し得る。
【０１２５】
前記リアホイールユニット１１４０は弾性部材１１５０をさらに含むことができる。例えば、前記弾性部材１１５０はトーションスプリングでよい。前記弾性部材１１５０の一端１１５２は前記本体部１１１０によって支持され、前記弾性部材１１５０の他端１１５３は前記延長部１１４４によって支持され得る。前記弾性部材１１５０は、前記延長部１１４４が図面において時計回り方向に回転するように弾性力を加えることができる。
【０１２６】
前記本体部１１１０が前方に最大限に傾くと、前記本体部１１１０の底面Ｂの前方部が床面Ｇに接触し得る。これによって、前記本体部１１１０の前方への最大回転角度が制限され得る。
【０１２７】
逆に、前記本体部１１１０が後方に傾くと、前記リアホイールユニット１１４０が床面Ｇに接触し得る。これによって、前記本体部１１１０の後方への最大回転角度が制限され得る。これによって、前記本体部１１１０が前方又は後方に転倒することを防止することができる。
【０１２８】
前記本体部１１１０が後方に最大限に回転すると、前記本体部１１１０の底面Ｂは床面Ｇと所定の角度θをなすことができる。この時、前記本体部１１１０の底面Ｂと床面Ｇとの角度θは略１７゜〜２０゜でよい。
【０１２９】
前記バッテリ１１３０にはカバー１１３１が設けられ得る。前記バッテリ１１３０が前記本体部１１１０に装着された状態で前記カバー１１３１は外部に露出され得る。これによって、前記カバー１１３１が前記本体部１１１０の外形の少なくとも一部を形成することができる。また、ユーザは前記本体部１１１０を分解しなくても、前記バッテリ１１３０を前記本体部１１１０から分離したり、前記本体部１１１０に結合することができる。
【０１３０】
以下では、前記本体部１１１０に対して前記バッテリ１１３０が着脱される過程について詳しく説明する。ただし、以下では、前記本体部１１１０から前記バッテリ１１３０が除去された場合には前記本体部１１１０の重心が前方に位置し、前記本体部１１１０に前記バッテリ１１３０が結合された場合には前記本体部１１１０の重心が後方に位置する場合に限って説明する。
【０１３１】
図１３は、前記掃除機本体にバッテリを結合する様子を順次に示す図である。
【０１３２】
図１３の（ａ）は、前記本体部１１１０から前記バッテリ１１３０が分離された様子であり、図１３の（ｂ）は、前記本体部１１１０に前記バッテリ１１３０が結合された様子であり、図１３の（ｃ）は、本体部１１１０が後方に傾いた様子を示す図である。
【０１３３】
前記本体部１１１０には前記バッテリ１１３０が結合されるバッテリ結合部１１０７が形成される。前記バッテリ結合部１１０７は、前記本体部１１１０の一部が陥没して形成され得る。
【０１３４】
前記バッテリ結合部１１０７は前記本体部１１１０の下側に形成され、これによって、前記バッテリ１１３０は前記本体部１１１０の下側に結合される。例えば、前記バッテリ１１３０が前記本体部１１１０に装着された状態で前記バッテリ１１３０の重心は前記移動輪１１２０の回転中心よりも下方に位置し得る。
【０１３５】
したがって、前記バッテリ１１３０が前記本体部１１１０に結合されると、前記本体部１１１０の重心が下側に移動するので、前記掃除機本体１０００の走行安定性が向上し得る。
【０１３６】
前記バッテリ１１３０が前記本体部１１１０の下側に結合されると、走行安定性が向上する長所はあるが、前記バッテリ１１３０を前記本体部１１１０の下側に結合しなければならず、前記バッテリ１１３０を結合するユーザに不便をもたらすことがある。
【０１３７】
ただし、前記本体部１１１０から前記バッテリ１１３０が分離された状態では前記本体部１１１０の重心が前記移動輪１１２０の中心を通る鉛直線の前方に位置し得る。これによって、前記本体部１１１０から前記バッテリ１１３０が分離されると、前記本体部１１１０は前記移動輪１１２０を中心に前方に傾き得る。
【０１３８】
前記本体部１１１０が前方に傾くことにより前記本体部１１１０の底面の前方部は床面に接触し、この時、前記バッテリ結合部１１０７は斜めに上方に向かう。これによって、ユーザが前記バッテリ１１３０を容易に結合させることができる。
【０１３９】
前記バッテリ１１３０は、前記バッテリ結合部１１０７に設けられた結合ガイド部によって前記本体部１１１０に対して斜め方向に結合され得る。具体的に、前記バッテリ１１３０の挿入方向Ｓは鉛直線Ｖ及び床面とそれぞれ鋭角をなし得る。したがって、前記本体部１１１０の底面の前方部が床面に接触した場合、前記バッテリ１１３０の挿入方向Ｓは床面と鋭角をなす。
【０１４０】
前記バッテリ１１３０が前記本体部１１１０に結合されると、前記本体部１１１０の重心が後方に移動し得る。すなわち、前記本体部１１１０に前記バッテリ１１３０が結合された状態では前記本体部１１１０の重心が、前記移動輪１１２０の中心を通る鉛直線の後方に位置し得る。
【０１４１】
すなわち、前記本体部１１１０に前記バッテリ１１３０が結合されると、前記本体部１１１０は前記移動輪１１２０を中心に後方に傾き得る。この時、前記リアホイールユニット１１４０は床面に選択的に接触する。この時、前記本体部１１１０の底面Ｂは床面Ｇと所定の角度θをなす。
【０１４２】
図１４は、前記掃除機本体からバッテリを分離する様子を順次に示す図である。
【０１４３】
具体的に、図１４の（ａ）は、前記バッテリ１１３０が前記本体部１１１０から分離される前の様子を示し、図１４の（ｂ）は、前記バッテリ１１３０が前記本体部１１１０から分離される様子を示している。
【０１４４】
前記本体部１１１０から前記バッテリ１１３０を分離するために、ユーザが前記本体部１１１０に力を直接加えて前記本体部１１１０を前方に傾けることができる。次に、ユーザは前記バッテリ１１３０を挿入方向Ｓと反対の方向に分離することができる。
【０１４５】
前記本体部１１１０から前記バッテリ１１３０が分離されると、前記本体部１１１０の重心は再び前方に移動する。これによって、前記本体部１１１０は前方に傾いた状態を維持することができる。
【０１４６】
このように、本発明の真空掃除機は、前記本体部１１１０に前記バッテリ１１３０が装着された状態では前記本体部１１１０が後方に回転し、前記本体部１１１０の底面部が床面から離隔され得る。すなわち、前記本体部１１１０は走行時に前記移動輪１１２０によって２点支持され得る。この場合、前記掃除機本体１０００は障害物をより容易に乗り越えることができ、前記移動輪１１２０に作用する走行摩擦が減少するので、前記掃除機本体１０００を移動させるユーザの労力を減らすことができる。
【０１４７】
前記バッテリ１１３０が前記本体部１１１０から分離された場合には、前記本体部１１１０の重心が前方に移動して前記本体部１１１０が前方に回転するので、前記本体部１１１０の後方下側に設けられたバッテリ結合部１１０７が上昇する。これによって、ユーザが前記バッテリ１１３０を前記バッテリ結合部１１０７に容易に結合させることができる。
【産業上の利用可能性】
【０１４８】
本発明の実施例によれば真空掃除機の吸込効率が向上し得るので産業上利用可能性が高い。
【図１】
2019504715.tif 000003
【図２】
2019504715.tif 000004
【図３】
2019504715.tif 000005
【図４】
2019504715.tif 000006
【図５】
2019504715.tif 000007
【図６】
2019504715.tif 000008
【図７】
2019504715.tif 000009
【図８】
2019504715.tif 000010
【図９】
2019504715.tif 000011
【図１０】
2019504715.tif 000012
【図１１】
2019504715.tif 000013
【図１２】
2019504715.tif 000014
【図１３】
2019504715.tif 000015
【図１４】
2019504715.tif 000016
【国際調査報告】
2019504715.tif 000017
2019504715.tif 000018
2019504715.tif 000019
2019504715.tif 000020